【事件の表示】
　特願２０１４−　　５０１５号「遊技機」拒絶査定不服審判事件〔平成２７年　７月２３日出願公開、特開２０１５−１３１０４２号、請求項の数（４）〕について、次のとおり審決する。
【結　論】
　原査定を取り消す。
　本願の発明は、特許すべきものとする。
【理　由】
第１　手続の経緯
　本願は、平成２６年１月１５日の出願であって、平成２９年８月２９日付けで拒絶の理由が通知され、同年１０月２６日に意見書及び手続補正書が提出されたところ、平成３０年３月１９日付け（謄本送達日：同年同月２７日）で拒絶査定（以下「原査定」という。）がなされ、それに対して、同年６月２１日に拒絶査定不服審判の請求がなされたものである。
　
第２　本願発明
　本願の請求項１ないし４に係る発明は、平成２９年１０月２６日に提出された手続補正書によって補正された特許請求の範囲の請求項１ないし４に記載の事項によりそれぞれ特定されるものと認められるところ、請求項１ないし４に係る発明（以下、本願の請求項１ないし４に係る発明をそれぞれ「本願発明１」ないし「本願発明４」という。）は、以下のとおりのものである。
　
「【請求項１】
　枠体に対して取り換え可能に組み付けられている遊技盤ユニットの遊技面が枠体に対して開閉可能にヒンジ結合されたガラス枠によって覆われている遊技機であって、
　遊技盤ユニットには、遊技者側に向かってガラス枠の前方に張り出す装飾体が枠体に対して閉じ状態のガラス枠の一部を挟み込み可能に組み付けられており、
　装飾体は、装飾体自身が、ヒンジ結合によるガラス枠の開閉を妨げることがないように、ガラス枠の一部を挟み込んだ進出状態から退行状態に切り替え可能に遊技盤ユニットに組み付けられていることを特徴とする遊技機。
　【請求項２】
　請求項１に記載の遊技機であって、
　遊技盤ユニットは、遊技面を有する遊技盤と、遊技盤に発射された遊技球を案内するレール飾りと、から構成されており、
　装飾体は、レール飾りに対してブラケットを介して組み付けられていることを特徴とする遊技機。
　【請求項３】
　請求項１に記載の遊技機であって、
　遊技盤ユニットは、遊技面を有する遊技盤から構成されており、
　装飾体は、遊技盤に対してブラケットを介して組み付けられていることを特徴とする遊技機。
　【請求項４】
　請求項１〜３に記載の遊技機であって、
　装飾体を進出状態にロックするロック機構が備えられていることを特徴とする遊技機。」
第３　原査定の概要
　原査定の概要は以下のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１．特開２００６−１１０２４６号公報
第４　引用文献、引用発明
１　引用文献１の記載事項
　原査定の拒絶の理由で引用文献１として引用され、本願の出願前に頒布され又は電気通信回線を通じて公衆に利用可能となった特開２００６−１１０２４６号公報（平成１８年４月２７日出願公開、以下「引用例」という。）には、遊技機に関し、次の事項が図面とともに記載されている（下線は引用発明等の認定に関連する箇所を明示するために審決で付した。以下同じ。）。
（１）「【技術分野】
【０００１】
　本発明は、パチンコ遊技機、スロットマシン、パチロット遊技機等の各種の遊技機に関するものである。」 
　
（２）「【発明を実施するための最良の形態】
【００３１】
　以下、本発明の遊技機を具体化した各実施形態について説明する。最初に、第一の実施形態である
パチンコ遊技機
１
【００３２】
　パチンコ機１は、図１乃至図４に示すように、
外枠２と、その外枠２の前部に設けられ外枠２の一側部にて開閉可能に支持され且つ遊技領域１４を有する本体枠３とを備えている
　・・・略・・・
【００３４】
　本体枠３には、後述する下皿ユニット５１を除く本体枠３の前面側を覆うように、
ガラス扉枠４が本体枠３左端の垂直軸心回りに開閉自在に設けられている
本体枠３には、装飾枠６０が本体枠３上端の水平軸心回りに開閉自在に設けられている
びガラス扉枠４を主要構成とするパチンコ機１の全ての部分が、本発明の遊技機本体を構成するものである。
【００３５】
　
本体枠３の後側
ガラス扉枠４の奥
には、
遊技盤５が着脱可能に装着されている
遊技盤５は、その周縁部が本体枠３の裏側に当接した状態で取り付けられており
遊技盤５の前面部の略中央部分だけが本体枠３の前面側に露出した状態となっている
　
（３）「【００５１】
　次に、装飾枠６０について、図１０乃至図１３を参照しつつ説明する。
装飾枠６０は、
ガラス扉枠４の前側表面の略全域を立ち上がった状態で覆うよう構成されている
　・・・略・・・
【００６０】
　また、ベース部材６０Ｂ上端には、折り曲げ板形状のヒンジ６５が左右一対に取り付けられており、装飾枠６０はヒンジ６５を介して本体枠３に対して水平軸心回りに（すなわち、上下に）開閉自在に枢着されている。尚、ヒンジ６５はベース部材６０Ｂ上端に配設されているが、これに代えて上部の左右両側面に配設してもよい。ここで、図１２は、
装飾枠６０が上方へ開放されて水平姿勢となった状態
装飾枠６０を上方に開放すると共にガラス扉枠４を左側へ開放し、この状態で装飾枠６０をガラス扉枠４の上端で支持させることにより、装飾枠６０を開放位置に保持
　・・・略・・・
【００６２】
　以上詳述したことから明らかなように、本実施形態によれば、本体枠３を外枠２側へ閉じ、更にガラス扉枠４及び装飾枠６０を本体枠３側へそれぞれ閉じることにより、装飾枠６０の膨出部６３より延設された装飾枠延設部６４，６４と外枠２の下部装飾部材６７より延設された脚状部６７ａ，６７ａとが互いに当接し、膨出部６３が装飾枠延設部６４，６４及び脚状部６７ａ，６７ａを介して外枠２にて下方から支持される支持構造が形成されるので、簡単な構造で確実に膨出部６３の強度（特に、下向きの力に対する強度）を高めることができる。よって、遊技者が膨出部６３に肘を突く等の動作を行って上体の体重を掛けた場合にも膨出部６３が破損することを防止できる。さらに、膨出部６３に掛かる荷重が支持構造を介して本体側（外枠２）にて分担されるため、装飾枠６０の本体枠３に対する取り付け部分に過大な荷重が掛かることが防止され、ヒンジ６５が破損することを防止することができる。また、上述した支持構造によって強度が増大されることにより、装飾枠６０において膨出部６３やその他の立体的装飾をさらに大型化することが可能となり、これにより優れた視覚的効果が発揮される。具体的には、遊技ホールにおいて遊技者の興味を惹きつけて当該パチンコ機１の選択を促したり、遊技の雰囲気を盛り上げる等の効果を発揮することが期待される。尚、下部装飾部材６７の左右に設けられた脚状部６７ａ，６７ａの中間に空間が形成されるため、遊技球を貯留するための貯留箱（いわゆるドル箱）を遊技機島台上でパチンコ機１の手前中央に載置することができる。
【００６３】
　また、
装飾枠６０がガラス扉枠４側へ突設された立脚部６０ｆを有する
　・・・略・・・
【００６７】
　また、装飾枠６０が立脚部６０ｆにおいてガラス扉枠４から立ち上がっているので、ガラス扉枠４の形状に拘らずに開閉可能な構造を実現することができる。すなわち、装飾枠６０がガラス扉枠４を略密着状に覆う構造では、装飾枠６０を円滑に開閉可能とするためにガラス扉枠４の形状（例えば、突出部分の高さや形状）が制約されるが、
装飾枠６０が立脚部６０ｆのみにおいてガラス扉枠４から立ち上がる
ガラス扉枠４上に適宜設けられたポイントに立脚部６０ｆを当接させ
　
（４）「【図２】
　・・・略・・・
　【図１０】
　・・・略・・・
　【図１２】
【図１３】
」 
２　引用発明
　上記１（１）ないし（４）から、引用例には、実施形態として、次の発明が記載されているものと認められる。なお、ａないしｄについては、後述する本願発明１のＡないしＤに対応させて付与し、引用箇所の段落番号等を併記した。
「ａ　外枠２と、その外枠２の前部に設けられ外枠２の一側部にて開閉可能に支持され且つ遊技領域１４を有する本体枠３（【００３２】）と、本体枠３の後側であって、本体枠３左端の垂直軸心回りに開閉自在に設けられているガラス扉枠４の奥に、本体枠３の裏側に周縁部が当接した状態で着脱可能に取り付けられた遊技盤５（【００３４】、【００３５】）を備えたパチンコ遊技機１（【００３１】）であって、
　ｂ　本体枠３上端の水平軸心回りに開閉自在に設けられ（【００３４】）、ガラス扉枠４側へ突設された立脚部６０ｆを有し（【００６３】）、ガラス扉枠４の前側表面の略全域を立ち上がった状態で覆うよう構成され（【００５１】）、ガラス扉枠４上に適宜設けられたポイントに立脚部６０ｆを当接させ、立脚部６０ｆのみにおいてガラス扉枠４から立ち上がるようにして設けられた装飾枠６０（【００６７】）をさらに備え、
　ｃ　装飾枠６０を上方に開放し水平姿勢となった状態とすると共にガラス扉枠４を左側へ開放し、この状態で装飾枠６０をガラス扉枠４の上端で支持させることにより、装飾枠６０を開放位置に保持することを可能とした（【００６０】）、
　ｄ　パチンコ遊技機１（【００３１】）。」（以下「引用発明」という。）
　
第５　対比・判断
１　本願発明１について
（１）対比
　ア　本願発明１を再掲すると以下のとおりである。なお、記号ＡないしＤは、分説するため合議体が付した。
「Ａ　枠体に対して取り換え可能に組み付けられている遊技盤ユニットの遊技面が枠体に対して開閉可能にヒンジ結合されたガラス枠によって覆われている遊技機であって、
　Ｂ　遊技盤ユニットには、遊技者側に向かってガラス枠の前方に張り出す装飾体が枠体に対して閉じ状態のガラス枠の一部を挟み込み可能に組み付けられており、
　Ｃ　装飾体は、装飾体自身が、ヒンジ結合によるガラス枠の開閉を妨げることがないように、ガラス枠の一部を挟み込んだ進出状態から退行状態に切り替え可能に遊技盤ユニットに組み付けられている
　Ｄ　ことを特徴とする遊技機。」
　以下、本願発明１と引用発明とを対比する。なお、以下の見出し（ａ）ないし（ｄ）は、本願補正発明のＡないしＤに対応させている。
　（ａ）（ｄ）引用発明の「遊技領域１４」、「ガラス扉枠４」及び「パチンコ遊技機１」は、それぞれ本願発明の「遊技面」、「ガラス枠」及び「遊技機」に相当する。
　また、引用発明は、「ガラス扉枠４」（ガラス枠）が「本体枠３」左端の垂直軸心回りに開閉自在に設けられ、「遊技盤５」が「ガラス扉枠４」（ガラス枠）の奥に、「本体枠３」の裏側に着脱可能に取り付けられているものである。
　そうすると、引用発明において、「ガラス扉枠４」（ガラス枠）は、「本体枠３」に対して開閉可能にヒンジ結合されているといえるのであるから、引用発明の「本体枠３」は、本願発明１の「枠体」に相当するといえる。また、引用発明において、「遊技盤５」は、「本体枠３」（枠体）に対して着脱可能に取り付けられているから、引用発明の「遊技盤５」は、本願発明１の「遊技盤ユニット」に相当するといえる。
　そうしてみると、引用発明の特定事項ａは、本願発明１の特定事項Ａに相当する。
　（ｂ）引用発明において、「装飾枠６０」は、立脚部６０ｆを突設し、ガラス扉枠４（ガラス枠）の前側表面の略全域を立ち上がった状態で覆うよう構成され、ガラス扉枠４上の適宜設けられたポイントに立脚部６０ｆを当接させ、すなわち挟み込み可能としている。
　そうすると、引用発明の「装飾枠６０」は、本願発明１の「遊技者側に向かってガラス枠の前方に張り出す装飾体」に相当し、また、引用発明の特定事項ｂは、本願発明１の特定事項Ｂにおける「装飾体が枠体に対して閉じ状態のガラス枠の一部を挟み込み可能に組み付けられて」いるとの特定事項を備えるといえる。
　そうしてみると、引用発明の特定事項ｂと、本願発明１の特定事項Ｂとは、「Ｂ’遊技者側に向かってガラス枠の前方に張り出す装飾体が枠体に対して閉じ状態のガラス枠の一部を挟み込み可能に組み付けられており、」である点で一致する。
　（ｃ）引用発明の装飾枠６０（装飾体）は、上方に開放し水平姿勢となった状態にさせた際に、ガラス扉枠４（ガラス枠）を左側へ開放し、この状態で装飾枠６０をガラス扉枠４の上端で支持させることにより、装飾枠６０を開放位置に保持することを可能としたものである。
　そうすると、引用発明は、装飾枠６０（装飾体）自身が、ガラス扉枠４（ガラス枠）の開閉を妨げることがないように、ガラス扉枠４（ガラス枠）を挟み込んだ進出状態から退行状態に切り替え可能に組み付けられているといえる。
　そうしてみると、引用発明の特定事項ｃと、本願発明１の特定事項Ｃとは、「Ｃ’装飾体は、装飾体自身が、ヒンジ結合によるガラス枠の開閉を妨げることがないように、ガラス枠の一部を挟み込んだ進出状態から退行状態に切り替え可能に組み付けられている」である点で一致する。
　イ　上記アからみて、本願発明１と引用発明とは、
「Ａ　枠体に対して取り換え可能に組み付けられている遊技盤ユニットの遊技面が枠体に対して開閉可能にヒンジ結合されたガラス枠によって覆われている遊技機であって、
　Ｂ’遊技者側に向かってガラス枠の前方に張り出す装飾体が枠体に対して閉じ状態のガラス枠の一部を挟み込み可能に組み付けられており、
　Ｃ’装飾体は、装飾体自身が、ヒンジ結合によるガラス枠の開閉を妨げることがないように、ガラス枠の一部を挟み込んだ進出状態から退行状態に切り替え可能に組み付けられている
　Ｄ　遊技機。」である点で一致し、次の点で相違する。
　
　・相違点（特定事項Ｂ、Ｃ）
　「装飾体」が「組み付けられて」いるのが、
　本願発明１では、「遊技盤ユニット」であるのに対し、
　引用発明では、遊技盤５（遊技盤ユニット）ではなく、本体枠３（枠体）である点。
（２）判断
　上記相違点について検討する。
　ア　引用例には、装飾枠６０（装飾体）の組み付け対象として、本体枠３（枠体）が記載されているだけであり、装飾枠６０（装飾体）を遊技盤５（遊技盤ユニット）に組み付けることの記載も示唆もなく動機付けもない。
　イ　このように、引用例に記載された事項を考慮しても、引用発明において、遊技盤５（遊技盤ユニット）に、装飾枠６０（装飾体）を組み付けるようになすことは当業者が容易に想到し得たものとはいえない。
　ウ　そして、本願の明細書の【０００６】に記載されているように、本願発明１により、「遊技盤ユニットを別の遊技盤ユニットに交換すると、装飾体も別の装飾体に交換されることとなる。そのため、ガラス枠の交換を伴うことがなくても、遊技盤ユニットのみを交換（遊技盤ユニットを別の遊技盤ユニットに交換）すると、遊技機の全体のイメージが変わり映えする。したがって、この交換の効果を遊技者に対して十分に伝えることができる。」というものであり、目的、課題及び効果の点で、本願発明における遊技盤ユニットに装飾体を組み付ける技術的意義を有するものである。
　エ　以上のとおりであるから、上記相違点は実質的な相違点であり、本願発明１は、引用発明と同一ではなく、引用例に記載された発明ではない。
　また、引用例には、上記相違点に係る事項が開示されてなく、しかも、当該事項が想到容易であるともいえないから、本願発明１は、当業者が引用例に記載された発明に基づいて容易に発明することができたものではない。
　
２　本願発明２ないし４について
　本願発明１が、引用例に記載された発明に基づいて当業者が容易に発明をすることができたものであるといえないのであるから、本願発明１の発明特定事項をすべて含み、さらに他の発明特定事項を付加した本願発明２ないし４も同様に、引用例に記載された発明に基づいて当業者が容易に発明をすることができたものであるといえない。
第７　むすび
　以上のとおり、原査定の理由によっては、本願を拒絶することはできない。 
　また、他に本願を拒絶すべき理由を発見しない。 
　よって、結論のとおり審決する。